【事件の表示】
　特許第６２２５２６７号発明「ライト調整システムおよびライト」の特許異議申立事件について、次のとおり決定する。
【結　論】
　特許第６２２５２６７号の請求項１ないし６、８ないし１０に係る特許を維持する。
【理　由】
第１　手続の経緯 
　特許第６２２５２６７号の請求項１〜１０に係る特許についての出願は、２０１５年（平成２７年）９月２日（優先権主張 ２０１４年９月２日 （ＪＰ）日本国）を国際出願日とするものであって、平成２９年１０月１３日に特許の設定登録がされ、その後、その請求項１〜６、８〜１０に係る特許に対し、特許異議申立人徐金龍（以下「異議申立人」という。なお、「金」３つの文字は、「金」１つにより表記する。）により特許異議の申立てがされたものである。 
  
第２　本件特許発明 
　特許第６２２５２６７号の請求項１〜６、８〜１０に係る特許は、それぞれ、その特許請求の範囲の請求項１〜６、８〜１０に記載された事項により特定されるとおりのものであり、請求項１〜６、８〜１０に係る特許発明（以下、それぞれ「本件特許発明１」等という。）は、以下のとおりである。
 
　「【請求項１】
　携帯可能なライトの発光制御を行うライト調整システムにおいて、
　前記ライトと通信可能な携帯端末にインストールされたアプリケーションソフトと、
　前記アプリケーションソフトは、
　ユーザにより入力された、少なくとも複数の発光色および当該複数の発光色を発光させる順番を含む入力情報を受け付ける受付部と、
　前記入力情報を色の要素情報として調整する色調整部と、
　前記調整された色の要素情報を前記ライトに送信する送信部とを備え、
　前記ライトは、
　前記送信された色の要素情報を受信する受信部と、
　前記受信された色の要素情報に基づいて、前記ライトが前記複数の発光色を前記発光させる順番で発光するように当該ライトの発光条件を制御する発光制御部と、
　前記発光制御部が制御した前記発光条件に基づいて前記ライトが発光する発光部とを備えるライト調整システム。
【請求項２】
　前記色調整部は、
　前記発光条件のうち、発光色を調整するものであって、前記発光色は、少なくともＲＧＢ値であることを特徴とする請求項１記載のライト調整システム。
【請求項３】
　前記色調整部は、更に、
　前記発光条件のうち、明度を調整することにより、発光した際の明るさ、および／または、強さを調整されたものであることを特徴とする請求項１または２項記載のライト調整システム。
【請求項４】
　前記色調整部は、
　前記発光条件のうち、点灯、および／または、消灯の時間を調整されたものであることを特徴とする請求項１から３いずれか１項記載のライト調整システム。
【請求項５】
　前記ライト調整システムは、複数のライトを備えるものであって、
前記複数のライトそれぞれは、同一の色の要素情報を受信するものであることを特徴とする請求項１から４いずれか１項記載のライト調整システム。
【請求項６】
　前記アプリケーションソフトは、更に、
　前記色の要素情報を表示制御部に表示するための表示制御部を備えることを特徴とする請求項１から５いずれか１項記載のライト調整システム。
【請求項８】
　前記ライト調整システムは、更に、
　前記ライトが複数の発光部を備え、
　前記ライトが発光する際に、複数の発光部をそれぞれ異なる発光条件で発光させることを特徴とする請求項１から７いずれか１項記載のライト調整システム。
【請求項９】
　前記ライト調整システムは、ライトを複数備えるものであって、
　前記複数のライトを連結することによって、一のライトが受信した発光条件を、他のライトに送信し、前記複数のライトが同じ発光条件で発光することを特徴とする請求項１から８いずれか１項記載のライト調整システム。
【請求項１０】
　携帯端末にインストールされたアプリケーションソフトから、該アプリケーションソフトの受付部を介してユーザにより入力された、少なくとも複数の発光色および当該複数の発光色を発光させる順番を含む入力情報を色の要素情報として調整し、該調整された色の要素情報を送信されたものを受信する受信部と、
　前記受信された色の要素情報に基づいて、前記ライトが前記複数の発光色を前記発光させる順番で発光するように当該ライトの発光条件を制御する発光制御部とを備える携帯可能なライト。」
第３　特許異議申立理由の概要 
　異議申立人は、主たる証拠として下記の甲第１号証及び従たる証拠として下記の甲第２号証を提出し、請求項１〜６、８〜１０に係る特許は特許法第２９条第２項の規定に違反してなされたものであるから、請求項１〜６、８〜１０に係る特許を取り消すべきものである旨主張している。 
 ・甲第１号証：特開２０１４−５６７２３号公報 
 ・甲第２号証：特開平６−３１０２８４号公報 
第４　特許異議申立理由についての検討 
１　刊行物に記載された発明及び技術的事項
（１）甲第１号証
　本件の優先日前に頒布された刊行物である甲第１号証の【請求項１】、段落【０００１】、【００２３】〜【００２５】、【００２７】、【００３０】、【００３４】、【００３９】、【００５６】、【００５８】の記載から、甲第１号証には次の発明（以下「甲１Ａ発明」という。）が記載されているものと認める。
　「設置場所を変更可能な移動可能型の照明機器２と、前記照明機器２の点灯制御内容を設定するためのコントローラ３と、を備えた照明システム１であって、
　前記コントローラ３は、前記照明機器２の属性情報を表示する表示部３１と、前記表示部３１と一体化されて操作指示を検知する操作部と、前記属性情報を記憶する記憶部３２と、前記照明機器２へ向けて該照明機器２の属性情報を含む制御信号を送受信する送受信部３３と、を備え、
　前記記憶部３２は、前記属性情報として、前記照明機器２が配された対象エリアを含むエリア情報と、前記対象エリアにおける前記照明機器２の識別情報と、前記照明機器２の点灯条件に関する点灯情報と、を記憶し、
　前記表示部３１は、前記エリア情報及び前記識別情報を図形化した第１の図形を有する第１の操作画面と、前記点灯情報を図形化した第２の図形を有する第２の操作画面と、を夫々２次元的又は３次元的に表示し、前記第１の操作画面において前記操作部上の操作指示により制御対象となる照明機器２が選定されると、選定された照明機器２に対応する前記第２の図形を有する前記第２の操作画面を、前記第１の操作画面に重畳させるようにダイアログ表示し、前記第２の操作画面において前記照明機器２の点灯情報が選定されると、前記第１の操作画面において前記照明機器２の識別情報及びその周囲のエリアに相当するエリア情報を示す第１の図形を、前記選定された点灯情報が反映されるようにハイライト表示するものであって、
　前記点灯情報は、照明光の調光率（光量）及び色温度、色度、彩度、明度が含まれ、
　前記コントローラ３は、専用ソフトウェアをインストールしたタブレット又はスマートフォン等の多機能携帯端末であり、
　前記第１の操作画面において、ユーザが「ＲＧＢ」ボタンをタッチすると、前記表示部３１は、ＲＧＢ系から色度等を設定するための第２の操作画面を、第１の操作画面上に重畳するように表示し、
　前記コントローラ３により設定された点灯情報、及び前記照明機器２の識別情報が、前記コントローラ３から出力される制御信号に取り込まれて、この制御信号が、直接又は制御器４を介して各照明機器２に向けて出力され、
　前記照明機器２は、コントローラ３からの制御信号を受信する送受信部２２と、
　前記送受信部２２が受信した制御信号に含まれる点灯情報に従って前記照明機器２の光源部２１を駆動する制御部２３とを備える、
　照明システム１。」
　また、以下の発明（以下「甲１Ｂ発明」という。）も記載されているものと認める。
　「コントローラ３により点灯制御内容を設定される、設置場所を変更可能な移動可能型の照明機器２であって、
　前記コントローラ３は、前記照明機器２の属性情報を表示する表示部３１と、前記表示部３１と一体化されて操作指示を検知する操作部と、前記属性情報を記憶する記憶部３２と、前記照明機器２へ向けて該照明機器２の属性情報を含む制御信号を送受信する送受信部３３と、を備え、
　前記記憶部３２は、前記属性情報として、前記照明機器２が配された対象エリアを含むエリア情報と、前記対象エリアにおける前記照明機器２の識別情報と、前記照明機器２の点灯条件に関する点灯情報と、を記憶し、
　前記表示部３１は、前記エリア情報及び前記識別情報を図形化した第１の図形を有する第１の操作画面と、前記点灯情報を図形化した第２の図形を有する第２の操作画面と、を夫々２次元的又は３次元的に表示し、前記第１の操作画面において前記操作部上の操作指示により制御対象となる照明機器２が選定されると、選定された照明機器２に対応する前記第２の図形を有する前記第２の操作画面を、前記第１の操作画面に重畳させるようにダイアログ表示し、前記第２の操作画面において前記照明機器２の点灯情報が選定されると、前記第１の操作画面において前記照明機器２の識別情報及びその周囲のエリアに相当するエリア情報を示す第１の図形を、前記選定された点灯情報が反映されるようにハイライト表示するものであって、
　前記点灯情報は、照明光の調光率（光量）及び色温度、色度、彩度、明度が含まれ、
　前記コントローラ３は、専用ソフトウェアをインストールしたタブレット又はスマートフォン等の多機能携帯端末であり、
　前記第１の操作画面において、ユーザが「ＲＧＢ」ボタンをタッチすると、前記表示部３１は、ＲＧＢ系から色度等を設定するための第２の操作画面を、第１の操作画面上に重畳するように表示し、
　前記コントローラ３により設定された点灯情報、及び前記照明機器２の識別情報が、前記コントローラ３から出力される制御信号に取り込まれて、この制御信号が、直接又は制御器４を介して各照明機器２に向けて出力され、
　前記照明機器２は、コントローラ３からの制御信号を受信する送受信部２２と、
　前記送受信部２２が受信した制御信号に含まれる点灯情報に従って前記照明機器２の光源部２１を駆動する制御部２３とを備える、
　設置場所を変更可能な移動可能型の照明機器２。」
（２）甲第２号証
　本件の優先日前に頒布された刊行物である甲第２号証の【請求項１】、【請求項３】、段落【０００９】、【００１３】、【００１６】、【００２５】、【００３０】、【００４４】〜【００４６】の記載から、甲第２号証には次の技術的事項（以下「甲２技術」という。）が記載されているものと認める。
　なお、段落【００３０】に「主制御部26には、
記録手段
　「照明器具１に接続され、この照明器具１を制御して、この照明器具１から照射される光線の少なくとも色、光量および配光を制御する点灯ユニット５と、
　前記照明器具１から照射される光線の色、光量、配光を制御する操作部２１を設け、この操作部２１の操作により前記点灯ユニット５を制御する多機能ユニット９とを備え、
　前記多機能ユニット９は、前記照明器具１の制御状態を記憶、再現する記憶手段を構成するＲＡＭを備え、
　前記多機能ユニット９は、複数の照明器具１の色温度、照度レベル、配光特性などを同時に制御して、総合的な照明効果を実現するシーン設定モードを有し、
　あらかじめＲＡＭに記憶したシーンを再生する場合には、シーン番号を入力することにより、内部のＲＡＭに記憶された各照明器具１の設定状態が呼び出されて順次送信され、各照明器具１が所定の設定状態に制御される、
　照明制御装置。」
２　 対比・判断 
（１）本件特許発明１について 
ア　対比
　本件特許発明１と甲１Ａ発明とを対比する。
（ア）後者の「照明機器２」は、前者の「ライト」に相当し、後者の「光源部２１」は、前者の「発光部」に相当する。
（イ）後者の「コントローラ３」は、「タブレット又はスマートフォン等の多機能携帯端末」であるから、前者の「携帯端末」に相当するといえる。
（ウ）後者の「送受信部２２」はコントローラ３からの制御信号を受信するものであるから、前者の「受信部」に相当するといえる。また、後者の「点灯情報」は、前者の「発光条件」に相当し、後者の「制御部２３」は点灯情報に基づいて光源部２１を駆動するものであるから、前者の「発光制御部」に相当するといえる。
（エ）後者の「照明システム１」は、「照明機器２」の点灯制御内容を調整するものといえるから、前者の「ライト調整システム」に相当するといえる。
（オ）上記（ア）、（イ）、（エ）を踏まえると、後者の「設置場所を変更可能な移動可能型の照明機器２と、前記照明機器２の点灯制御内容を設定するためのコントローラ３と、を備えた照明システム１」と、前者の「携帯可能なライトの発光制御を行うライト調整システム」とは、「移動可能なライトの発光制御を行うライト調整システム」の限度で一致するといえる。
（カ）後者の「専用ソフトウェア」は、「タブレット又はスマートフォン等の多機能携帯端末」である「コントローラ３」にインストールされるものであり、「コントローラ３」は「前記照明機器２へ向けて該照明機器２の属性情報を含む制御信号を送受信する送受信部３３と、を備え」るものである。
　そうすると、上記（ア）〜（ウ）をも踏まえると、後者の「専用ソフトウェア」と、前者の「前記ライトと通信可能な携帯端末にインストールされたアプリケーションソフト」に相当するといえる。
（キ）後者の「前記点灯情報は、照明光の調光率（光量）及び色温度、色度、彩度、明度が含まれ」、「前記第１の操作画面において、ユーザが「ＲＧＢ」ボタンをタッチすると、前記表示部３１は、ＲＧＢ系から色度等を設定するための第２の操作画面を、第１の操作画面上に重畳するように表示し、前記コントローラ３により設定された点灯情報、及び前記照明機器２の識別情報が、前記コントローラ３から出力される制御信号に取り込まれて、この制御信号が、直接又は制御器４を介して各照明機器２に向けて出力され」るという事項について、「専用ソフトウェア」による制御であるから、前者の「アプリケーションソフト」が備える「入力情報を受け付ける受付部」、「入力情報を色の要素情報として調整する色調整部」、「調整された色の要素情報を前記ライトに送信する送信部」に相当する構成を有していることは明らかである。また、「ＲＧＢ系から色度等を設定する」ということは、複数の発光色を設定しているといえるものである。
　そうすると、上記（カ）をも踏まえると、後者の上記事項と、前者の「前記アプリケーションソフトは、ユーザにより入力された、少なくとも複数の発光色および当該複数の発光色を発光させる順番を含む入力情報を受け付ける受付部と、前記入力情報を色の要素情報として調整する色調整部と、前記調整された色の要素情報を前記ライトに送信する送信部とを備え」ることとは、「前記アプリケーションソフトは、ユーザにより入力された、少なくとも複数の発光色を含む入力情報を受け付ける受付部と、前記入力情報を色の要素情報として調整する色調整部と、前記調整された色の要素情報を前記ライトに送信する送信部とを備え」ることの限度で一致するといえる。
（ク）後者の「前記照明機器２は、コントローラ３からの制御信号を受信する送受信部２２と、前記送受信部２２が受信した制御信号に含まれる点灯情報に従って前記照明機器２の光源部２１を駆動する制御部２３とを備える、照明システム１」という事項について、「光源部２１」により「照明機器２」が発光するものであることは明らかである。
　そうすると、上記（ア）〜（ウ）、（キ）をも踏まえると、後者の上記事項と、前者の「前記ライトは、前記送信された色の要素情報を受信する受信部と、前記受信された色の要素情報に基づいて、前記ライトが前記複数の発光色を前記発光させる順番で発光するように当該ライトの発光条件を制御する発光制御部と、前記発光制御部が制御した前記発光条件に基づいて前記ライトが発光する発光部と、を備えるライト調整システム」とは、「前記ライトは、前記送信された色の要素情報を受信する受信部と、前記受信された色の要素情報に基づいて、当該ライトの発光条件を制御する発光制御部と、前記発光制御部が制御した前記発光条件に基づいて前記ライトが発光する発光部と、を備えるライト調整システム」の限度で一致するといえる。
（ケ）以上のことから、本件特許発明１と甲１Ａ発明との一致点、相違点は次のとおりである。 
〔一致点１〕 
　「移動可能なライトの発光制御を行うライト調整システムにおいて、
　前記ライトと通信可能な携帯端末にインストールされたアプリケーションソフトと、
　前記アプリケーションソフトは、
　ユーザにより入力された、少なくとも複数の発光色を含む入力情報を受け付ける受付部と、
　前記入力情報を色の要素情報として調整する色調整部と、
　前記調整された色の要素情報を前記ライトに送信する送信部とを備え、
　前記ライトは、
　前記送信された色の要素情報を受信する受信部と、
　前記受信された色の要素情報に基づいて、当該ライトの発光条件を制御する発光制御部と、
　前記発光制御部が制御した前記発光条件に基づいて前記ライトが発光する発光部とを備えるライト調整システム。」
〔相違点１〕
　「移動可能なライト」に関し、本件特許発明１は、「携帯可能な」ものであるのに対し、甲１Ａ発明は、「設置場所を変更可能な移動可能型の」ものである点。
〔相違点２〕
　本件特許発明１は、「入力情報」が「当該複数の発光色を発光させる順番」を含むものであり、「ライトの発光条件」が「前記ライトが前記複数の発光色を前記発光させる順番で発光するように」しているものであるのに対し、甲１Ａ発明は、それら事項を有していない点。
イ　判断
　事案に鑑み、上記相違点２について検討する。
（ア）甲２技術は、「前記多機能ユニット９は、複数の照明器具１の色温度、照度レベル、配光特性などを同時に制御して、総合的な照明効果を実現するシーン設定モードを有し、あらかじめＲＡＭに記憶したシーンを再生する場合には、シーン番号を入力することにより、内部のＲＡＭに記憶された各照明器具１の設定状態が呼び出されて順次送信され、各照明器具１が所定の設定状態に制御される」という事項を有するものである。
　そして、「色温度」を制御するということは、本件特許発明１の「複数の発光色」を発光させることに相当するといえる。
　しかしながら、上記事項の「内部のＲＡＭに記憶された各照明器具１の設定状態が呼び出されて順次送信され、各照明器具１が所定の設定状態に制御される」ということは、複数の照明器具１が個々に設定された状態になるようにしているものであって、１つの照明器具１に対し、複数の発光色を設定された発光させる順番で発光するようにしているものではない。
　したがって、甲１Ａ発明に甲２技術を適用したとしても、上記相違点２に係る本件特許発明１の発明特定事項を有するものには至らない。
（イ）なお、異議申立人は、異議申立書の第１５ページ第２〜５行において「甲第２号証には、一旦調整された照明状態（制御状態）を複数記憶し、これら複数の制御状態を再現すること（記憶手段）が記載されている。この記憶手段が順次記憶させた複数の発光色をその順番で発光するように制御できることは自明かつ本件特許出願前の技術常識である」、同第１６ページ第１５〜１６行において「一旦調整され記憶された複数の発光色をその順番で発光するように制御することは、甲第２号証の記載されている」（なお、「甲第２号証の」は「甲第２号証に」の誤記と認める。）と主張しているが、甲第２号証の「記憶手段が順次記憶させた複数の発光色をその順番で発光するように制御できる」ことを自明と言う根拠も技術常識と言う根拠もいずれも証拠から読み取ることはできない。
（ウ）したがって、甲１Ａ発明において、少なくとも上記相違点２に係る本件特許発明１の発明特定事項を有するものとすることが、甲１Ａ発明及び甲２技術に基いて当業者にとって容易になし得たことということはできない。
　よって、本件特許発明１は、甲１Ａ発明及び甲２技術に基いて当業者が容易に発明をすることができたものとはいえない。
（２）本件特許発明２〜６、８〜９について
　本件特許発明２〜６、８〜９は、本件特許発明１の発明特定事項を全て含み、さらに限定を加えたものであるから、本件特許発明１と同様の理由により、甲１Ａ発明及び甲２技術に基いて当業者が容易に発明をすることができたものとはいえない。
（３）本件特許発明１０について
ア　対比
　本件特許発明１０と甲１Ｂ発明とを対比する。
（ア）後者の「照明機器２」は、前者の「ライト」に相当する。
（イ）後者の「コントローラ３」は、「タブレット又はスマートフォン等の多機能携帯端末」であるから、前者の「携帯端末」に相当するといえる。
（ウ）後者の「送受信部２２」はコントローラ３からの制御信号を受信するものであるから、前者の「受信部」に相当するといえる。
（エ）後者の「専用ソフトウェア」は、「タブレット又はスマートフォン等の多機能携帯端末」である「コントローラ３」にインストールされるものである。
　そうすると、上記（イ）をも踏まえると、後者の「専用ソフトウェア」は、前者の「携帯端末にインストールされたアプリケーションソフト」に相当するといえる。
（オ）後者の「前記点灯情報は、照明光の調光率（光量）及び色温度、色度、彩度、明度が含まれ」、「前記第１の操作画面において、ユーザが「ＲＧＢ」ボタンをタッチすると、前記表示部３１は、ＲＧＢ系から色度等を設定するための第２の操作画面を、第１の操作画面上に重畳するように表示し、前記コントローラ３により設定された点灯情報、及び前記照明機器２の識別情報が、前記コントローラ３から出力される制御信号に取り込まれて、この制御信号が、直接又は制御器４を介して各照明機器２に向けて出力され、前記照明機器２は、コントローラ３からの制御信号を受信する送受信部２２と、前記送受信部２２が受信した制御信号に含まれる点灯情報に従って前記照明機器２の光源部２１を駆動する制御部２３とを備える、設置場所を変更可能な移動可能型の照明機器２」という事項について、「専用ソフトウェア」による制御であるから、前者の「アプリケーションソフト」の「受付部を介してユーザにより入力された」「入力情報を色の要素情報として調整する色調整」すること、及び、「調整された色の要素情報を前記ライトに送信されたもの」に相当する構成を有していることは明らかである。また、「ＲＧＢ系から色度等を設定する」ということは、複数の発光色を設定しているといえるものである。
　そうすると、上記（ア）〜（エ）をも踏まえると、後者の上記事項と、前者の「携帯端末にインストールされたアプリケーションソフトから、該アプリケーションソフトの受付部を介してユーザにより入力された、少なくとも複数の発光色および当該複数の発光色を発光させる順番を含む入力情報を色の要素情報として調整し、該調整された色の要素情報を送信されたものを受信する受信部と、前記受信された色の要素情報に基づいて、前記ライトが前記複数の発光色を前記発光させる順番で発光するように当該ライトの発光条件を制御する発光制御部とを備える携帯可能なライト」とは、「携帯端末にインストールされたアプリケーションソフトから、該アプリケーションソフトの受付部を介してユーザにより入力された、少なくとも複数の発光色を含む入力情報を色の要素情報として調整し、該調整された色の要素情報を送信されたものを受信する受信部と、前記受信された色の要素情報に基づいて、当該ライトの発光条件を制御する発光制御部とを備える移動可能なライト」の限度で一致するといえる。
（カ）以上のことから、本件特許発明１０と甲１Ｂ発明との一致点、相違点は次のとおりである。 
〔一致点２〕 
　「携帯端末にインストールされたアプリケーションソフトから、該アプリケーションソフトの受付部を介してユーザにより入力された、少なくとも複数の発光色を含む入力情報を色の要素情報として調整し、該調整された色の要素情報を送信されたものを受信する受信部と、
　前記受信された色の要素情報に基づいて、当該ライトの発光条件を制御する発光制御部とを備える移動可能なライト。」
〔相違点３〕
　「移動可能なライト」に関し、本件特許発明１０は、「携帯可能な」ものであるのに対し、甲１Ｂ発明は、「設置場所を変更可能な移動可能型の」ものである点。
〔相違点４〕
　本件特許発明１０は、「入力情報」が「当該複数の発光色を発光させる順番」をも含むものであり、「ライトの発光条件」が「前記ライトが前記複数の発光色を前記発光させる順番で発光するように」しているものであるのに対し、甲１Ｂ発明は、それら事項を有していない点。
イ　判断
　事案に鑑み、上記相違点４について検討する。
　上記相違点４は、実質的に上記相違点２と同様の内容であって、その判断についても同様である。
　したがって、甲１Ｂ発明において、少なくとも上記相違点４に係る本件特許発明１０の発明特定事項を有するものとすることが、甲１Ｂ発明及び甲２技術に基いて当業者にとって容易になし得たことということはできない。
　よって、本件特許発明１０は、甲１Ｂ発明及び甲２技術に基いて当業者が容易に発明をすることができたものとはいえない。
第５　むすび 
　以上検討したとおり、特許異議申立ての理由及び証拠によっては、請求項１〜６、８〜１０に係る特許を取り消すことはできない。
　また、他に請求項１〜６、８〜１０に係る特許を取り消すべき理由を発見しない。
　よって、結論のとおり決定する。
【異議決定日】
平成３０年７月１０日（２０１８．７．１０）